(57)【要約】【課題】外部機器と電気的に接続される電気部品が静電気等により故障するのを防止する内視鏡等を提供する。【解決手段】外部機器２０と接続される内視鏡プラグ１３と、内視鏡プラグ１３に設けられ、外部機器２０から内視鏡制御に係る電気信号が入力される電極１５と、電極１５の周囲を覆う絶縁体で構成され、外部機器２０と接続される領域において変形して電極１５を露出し、電極１５と外部機器２０とを電気的に接続可能な状態にする被覆１４と、を有する内視鏡１０。【選択図】図１
2017185081.tif 000002
【特許請求の範囲】
【請求項１】
内視鏡用外部機器と接続される内視鏡プラグと、
前記内視鏡プラグに設けられ、前記内視鏡用外部機器から内視鏡制御に係る電気信号が入力される電極と、
前記電極の周囲を覆う絶縁体で構成され、前記内視鏡用外部機器と接続される領域において変形して前記電極を露出し、前記電極と前記内視鏡用外部機器とを電気的に接続可能な状態にする被覆と、
を有することを特徴とする内視鏡。
【請求項２】
前記電極は軸形状をなし、
前記被覆は、前記内視鏡用外部機器と接続される前には、前記電極の前記軸周りの外側面を少なくとも覆っていることを特徴とする請求項１に記載の内視鏡。
【請求項３】
前記被覆の基端面は、前記内視鏡用外部機器と接続される前には、前記電極の基端面よりも基端側に位置していることを特徴とする請求項２に記載の内視鏡。
【請求項４】
前記被覆は、前記内視鏡用外部機器と接続される前には、前記電極の基端面も絶縁に覆っていることを特徴とする請求項３に記載の内視鏡。
【請求項５】
前記電極から入力された前記電気信号によって駆動される駆動部をさらに有することを特徴とする請求項１に記載の内視鏡。
【請求項６】
前記駆動部は、前記電気信号が印加されることで照明光の射出方向を変化させる走査を行うためのアクチュエータを含むことを特徴とする請求項５に記載の内視鏡。
【請求項７】
前記電気信号は、第１の電気信号と第２の電気信号とを含み、
前記駆動部は、前記第１の電気信号が印加されることで前記照明光の射出方向を第１の方向へ変化させる走査を行うための第１のアクチュエータと、前記第２の電気信号が印加されることで前記照明光の射出方向を前記第１の方向と直交する第２の方向へ変化させる走査を行うための第２のアクチュエータと、を含み、
前記電極は、前記第１の電気信号が入力される第１の導電部と、前記第２の電気信号が入力される第２の導電部と、前記第１のアクチュエータおよび前記第２のアクチュエータを接地するための第３の導電部と、を含み、
前記被覆は、前記第３の導電部の周囲に少なくとも設けられていることを特徴とする請求項６に記載の内視鏡。
【請求項８】
前記被覆は、さらに、前記第１の導電部の周囲と、前記第２の導電部の周囲と、にもそれぞれ設けられていることを特徴とする請求項７に記載の内視鏡。
【請求項９】
内視鏡制御に係る電気信号を生成する制御信号生成部と、
絶縁体で構成された被覆により周囲を覆われた電極を有する内視鏡プラグが接続されるレセプタクルと、
前記レセプタクルに設けられ、前記内視鏡プラグの前記レセプタクルと接続する領域の前記被覆を変形させて前記電極を露出し、前記電極を電気的に接続可能な状態にする露出機構と、
前記露出機構により露出された前記電極と電気的に接続され、前記制御信号生成部により生成された前記電気信号を前記電極に印加する印加部と、
を有することを特徴とする内視鏡用外部機器。
【請求項１０】
前記露出機構は、前記印加部を兼ねていることを特徴とする請求項９に記載の内視鏡用外部機器。
【請求項１１】
前記露出機構は、前記印加部とは別体に設けられていることを特徴とする請求項９に記載の内視鏡用外部機器。
【請求項１２】
前記電極における前記露出機構により前記被覆を除去された領域を変形させて、前記印加部と電気的に接続される前記電極の面積を増加させる変形機構をさらに有することを特徴とする請求項９に記載の内視鏡用外部機器。
【請求項１３】
前記変形機構は、前記印加部を兼ねていることを特徴とする請求項１２に記載の内視鏡用外部機器。
【請求項１４】
前記変形機構は、前記露出機構を兼ねていることを特徴とする請求項１２に記載の内視鏡用外部機器。
【請求項１５】
前記露出機構は、前記被覆を溶融することにより前記電極を露出するための発熱体を備えていることを特徴とする請求項９に記載の内視鏡用外部機器。
【請求項１６】
前記発熱体は、前記印加部を兼ねていることを特徴とする請求項１５に記載の内視鏡用外部機器。
【請求項１７】
請求項１に記載の内視鏡と、
内視鏡制御に係る電気信号を生成する制御信号生成部と、前記内視鏡プラグが接続されるレセプタクルと、前記レセプタクルに設けられ、前記内視鏡プラグの前記レセプタクルと接続する領域の前記被覆を変形させて前記電極を露出し、前記電極を電気的に接続可能な状態にする露出機構と、前記露出機構により露出された前記電極と電気的に接続され、前記制御信号生成部により生成された前記電気信号を前記電極に印加する印加部と、を有する内視鏡用外部機器と、
を備えたことを特徴とする内視鏡システム。
【発明の詳細な説明】
【技術分野】
【０００１】
本発明は、電極が設けられた内視鏡プラグにより内視鏡用外部機器と接続される内視鏡と、内視鏡が接続される内視鏡用外部機器と、内視鏡および内視鏡用外部機器を備える内視鏡システムとに関する。
【背景技術】
【０００２】
内視鏡は、先端部において光学像を取得する細長の挿入部を備え、この挿入部を被検体内に挿入することにより、外部からは観察できない被検体の内部を、内視鏡像として観察することが可能となっている。こうした内視鏡は、例えば、医療分野や工業分野を始めとした各種の分野に広く用いられている。
【０００３】
内視鏡には、例えばＣＣＤやＣＭＯＳ等の撮像素子を備える電子内視鏡、あるいはレーザ光などの照明光を指向性をもって照射しながら照射位置を変更する走査を行い、反射光から内視鏡画像を構成する走査型内視鏡などがある。
【０００４】
電気的な制御を伴うこうした内視鏡は、プロセッサ等の内視鏡用外部機器に接続されていて、内視鏡用外部機器から内視鏡を制御するための制御信号が送信され、また、内視鏡用外部機器において内視鏡画像に対する画像処理等が行われる。
【０００５】
具体的に、電子内視鏡の場合には、撮像素子を駆動するための制御信号等が内視鏡用外部機器から電子内視鏡へ送信され、また撮像素子で生成された撮像信号が電子内視鏡から内視鏡用外部機器へ送信される。
【０００６】
一方、走査型内視鏡の場合には、内視鏡用外部機器である光源装置から照明光が走査型内視鏡の光ファイバに供給されると共に、光源装置と一体の、または別体の内視鏡用外部機器から光ファイバの先端部の方向（つまり、レーザ光の照射方向）を変更する走査を行うための制御信号等が走査型内視鏡の駆動部に送信される。
【０００７】
走査型内視鏡の駆動部は圧電素子等を備えており、圧電素子等に交流の電圧を印加することで光ファイバの先端部を振動させるようになっている。ここに、圧電素子は、生産時に電圧をかけることで、セラミック内部の分子配列に方向性を生じさせる分極処理を行っている。この分極処理により、圧電素子は、順方向の電圧を印加すると所定の方向に変形し、逆方向の電圧を印加すると所定の方向とは逆の方向に変形する。
【０００８】
このような構成の圧電素子は、順方向の電圧を印加しても分極が乱れにくいが、逆方向の電圧を印加すると不可逆な分極の乱れが生じてしまうことがある。すなわち、圧電素子が故障しない上限電圧は、電圧の印加方向が順方向であるか逆方向であるかに応じて異なる。そこで、交流で駆動される場合、つまり順方向の電圧と逆方向の電圧との両方が圧電素子に印加される場合の圧電素子に対する定格電圧は、逆方向の上限電圧に基づき定められている。走査型内視鏡に駆動部に用いられる圧電素子は、非常に薄く形成されているために、定格電圧を少しでも超えると圧電素子が故障することがある。このために、印加電圧を確実に定格電圧以下に維持することが重要となる。
【０００９】
ところで、内視鏡と内視鏡用外部機器との接続部分の構成は、従来より提案されており、例えば特開２０１５−１４４１０２公報には、同軸ケーブルと回路基板との間の接続の確実性を維持できるケーブル接続構造体が記載されている。
【００１０】
また、特開２０１６−０１５２６７公報には、基板等と接続された接続構造体において設計の柔軟性を向上できるとともに、接続構造体の小型化が可能な実装用ケーブル、および集合ケーブルが記載されている。
【先行技術文献】
【特許文献】
【００１１】
【特許文献１】特開２０１５−１４４１０２公報
【特許文献２】特開２０１６−０１５２６７公報
【発明の概要】
【発明が解決しようとする課題】
【００１２】
しかしながら、上述したような従来の構成では、内視鏡用外部機器との電気的な接続を行う内視鏡の接続部分が、接続を行う過程の途中で一部露出することがあり、このときに露出部分から定格電圧を超える電圧の静電気が印加されると、圧電素子や撮像素子などの電気部品が故障する可能性があった。
【００１３】
本発明は上記事情に鑑みてなされたものであり、内視鏡用外部機器と電気的に接続される電気部品が、定格電圧を超える電圧の静電気等により故障するのを防止することができる内視鏡、内視鏡用外部機器、内視鏡システムを提供することを目的としている。
【課題を解決するための手段】
【００１４】
本発明のある態様による内視鏡は、内視鏡用外部機器と接続される内視鏡プラグと、前記内視鏡プラグに設けられ、前記内視鏡用外部機器から内視鏡制御に係る電気信号が入力される電極と、前記電極の周囲を覆う絶縁体で構成され、前記内視鏡用外部機器と接続される領域において変形して前記電極を露出し、前記電極と前記内視鏡用外部機器とを電気的に接続可能な状態にする被覆と、を有する。
【００１５】
本発明のある態様による内視鏡用外部機器は、内視鏡制御に係る電気信号を生成する制御信号生成部と、絶縁体で構成された被覆により周囲を覆われた電極を有する内視鏡プラグが接続されるレセプタクルと、前記レセプタクルに設けられ、前記内視鏡プラグの前記レセプタクルと接続する領域の前記被覆を変形させて前記電極を露出し、前記電極を電気的に接続可能な状態にする露出機構と、前記露出機構により露出された前記電極と電気的に接続され、前記制御信号生成部により生成された前記電気信号を前記電極に印加する印加部と、を有する。
【００１６】
本発明のある態様による内視鏡システムは、上記内視鏡と、内視鏡制御に係る電気信号を生成する制御信号生成部と、前記内視鏡プラグが接続されるレセプタクルと、前記レセプタクルに設けられ、前記内視鏡プラグの前記レセプタクルと接続する領域の前記被覆を変形させて前記電極を露出し、前記電極を電気的に接続可能な状態にする露出機構と、前記露出機構により露出された前記電極と電気的に接続され、前記制御信号生成部により生成された前記電気信号を前記電極に印加する印加部と、を有する内視鏡用外部機器と、を備える。
【発明の効果】
【００１７】
本発明の内視鏡、内視鏡用外部機器、内視鏡システムによれば、内視鏡用外部機器と電気的に接続される電気部品が、定格電圧を超える電圧の静電気等により故障するのを防止することができる。
【図面の簡単な説明】
【００１８】
【図１】本発明の実施形態１における内視鏡システムの構成を示すブロック図。
【図２】上記実施形態１における走査型内視鏡の構成を示す図。
【図３】上記実施形態１の走査型内視鏡における駆動部の構成を示す図。
【図４】上記実施形態１における内視鏡プラグの第１の構成例を示す断面図。
【図５】上記実施形態１における内視鏡プラグの第２の構成例を示す断面図。
【図６】上記実施形態１における内視鏡プラグの第３の構成例を示す断面図。
【図７】上記実施形態１における内視鏡プラグとレセプタクルとを接続する際の関係を示す断面図。
【図８】上記実施形態１におけるレセプタクルを正面方向から見たときの第１の構成例を示す図。
【図９】上記実施形態１におけるレセプタクルを正面方向から見たときの第２の構成例を示す図。
【図１０】上記実施形態１におけるレセプタクルを正面方向から見たときの第３の構成例を示す図。
【図１１】上記実施形態１におけるレセプタクルを正面方向から見たときの第４の構成例を示す図。
【図１２】上記実施形態１におけるレセプタクルを正面方向から見たときの第５の構成例を示す図。
【図１３】上記実施形態１におけるレセプタクルを正面方向から見たときの第６の構成例を示す図。
【図１４】上記実施形態１におけるレセプタクルを側面方向から見たときのある構成例を示す断面図。
【図１５】上記実施形態１におけるレセプタクルを側面方向から見たときの他の構成例を示す断面図。
【図１６】上記実施形態１におけるレセプタクルを正面方向から見たときの第７の構成例を示す図。
【図１７】上記実施形態１における第７の構成例のレセプタクルを側面方向から見たときの構成を示す断面図。
【図１８】上記実施形態１におけるレセプタクルに、露出機構とは別体に印加部が設けられている構成例を示す断面図。
【図１９】上記実施形態１において、内視鏡プラグをレセプタクルに押圧挿入することで被覆が剥離された様子を示す断面図。
【図２０】上記実施形態１において、レセプタクルの変形機構を閉状態にしたときに、内視鏡プラグの電極が変形される様子を示す断面図。
【図２１】上記実施形態１において、内視鏡プラグをレセプタクルに挿入したときの様子を示す一部断面を含む正面図。
【図２２】上記実施形態１において、レセプタクルの変形機構を閉状態にしたときに、内視鏡プラグの電極が変形されて通電面積が増加している様子を示す一部断面を含む正面図。
【図２３】上記実施形態１において、内視鏡プラグをレセプタクルに押圧挿入することで被覆が剥離される作用の例を示すフローチャート。
【図２４】上記実施形態１において、レセプタクルの変形機構により被覆が剥離され電極が変形されて通電面積が増加する作用の例を示すフローチャート。
【図２５】上記実施形態１において、内視鏡プラグの押圧挿入およびレセプタクルの変形機構により被覆が剥離され電極が変形されて通電面積が増加する作用の例を示すフローチャート。
【発明を実施するための形態】
【００１９】
以下、図面を参照して本発明の実施の形態を説明する。
［実施形態１］
【００２０】
図１から図２５は本発明の実施形態１を示したものであり、図１は内視鏡システムの構成を示すブロック図である。
【００２１】
内視鏡システムは、内視鏡と内視鏡用外部機器２０とを備えており、本実施形態における内視鏡は走査型内視鏡１０として構成されている。
【００２２】
走査型内視鏡１０は、光ファイバ１１と、駆動部１２と、内視鏡プラグ１３と、を有している。
【００２３】
光ファイバ１１は、図示しない光源装置から供給された光を、走査型内視鏡１０の先端側へ伝送して、先端から被検体へ指向性をもって照射する。ここに、照射される光（照明光）は、例えばレーザ光などの、位相が揃っていて波束が広がり難い光を用いることが好ましい。これにより照明光は、被検体上における照射領域が限定された照明光スポットとなる。なお、被検体から反射された反射光は、光ファイバ１１自体によって受光しても構わないし、光ファイバ１１とは別体の受光ファイバ等を設けて受光ファイバにより受光するようにしても良い。
【００２４】
駆動部１２は、内視鏡プラグ１３の後述する電極１５から入力された電気信号によって駆動されるものであり、電気信号が印加されることで照明光の射出方向を変化させる走査を行うためのアクチュエータを含んでいる。
【００２５】
具体的に、駆動部１２は、第１の電気信号（Ｘ方向駆動信号）が印加されることで照明光の射出方向を第１の方向（Ｘ方向）へ変化させる走査を行うための第１のアクチュエータ（Ｘ方向アクチュエータ１２ａ）と、第２の電気信号（Ｙ方向駆動信号）が印加されることで照明光の射出方向を第１の方向と直交する第２の方向（Ｙ方向）へ変化させる走査を行うための第２のアクチュエータ（Ｙ方向アクチュエータ１２ｂ）と、を含んでいる。
【００２６】
内視鏡プラグ１３は、内視鏡用外部機器２０と接続されるものであり、被覆１４と、電極１５と、を備えている。
【００２７】
被覆１４は、電極１５の周囲を覆う絶縁体で構成され、内視鏡用外部機器２０と接続される領域において変形して電極１５を露出し、電極１５と内視鏡用外部機器２０とを電気的に接続可能な状態にする。なお、図１において、被覆１４内に電極１５を図示しているが、これは、電極１５の周囲に被覆１４が配置されていることを示すためであり、被覆１４の構成要素に電極１５が含まれることを意味しているのではない（従って、電極１５は被覆１４とは別の構成要素である）。
【００２８】
電極１５は、内視鏡プラグ１３に設けられ、内視鏡用外部機器２０から内視鏡制御に係る電気信号（上述した第１の電気信号および第２の電気信号を含む）が入力される。
【００２９】
具体的に、電極１５は、第１の電気信号（Ｘ方向駆動信号）が入力される第１の導電部１５ａと、第２の電気信号（Ｙ方向駆動信号）が入力される第２の導電部１５ｂと、第１のアクチュエータ（Ｘ方向アクチュエータ１２ａ）および第２のアクチュエータ（Ｙ方向アクチュエータ１２ｂ）を接地するための第３の導電部１５ｃと、を含んでいる。
【００３０】
内視鏡用外部機器２０は、制御信号生成部２１と、レセプタクル２２と、露出機構２３と、印加部とを有し、本実施形態においては、走査型内視鏡１０の走査を駆動する内視鏡駆動装置として構成されている。
【００３１】
制御信号生成部２１は、内視鏡制御に係る電気信号を生成するものであり、Ｘ方向駆動信号生成部２１ａとＹ方向駆動信号生成部２１ｂとを含んでいる。
【００３２】
Ｘ方向駆動信号生成部２１ａは、内視鏡制御に係る電気信号として、第１の電気信号であるＸ方向駆動信号を生成する。このＸ方向駆動信号を上述したＸ方向アクチュエータ１２ａに印加することで、光ファイバ１１が、光ファイバ１１の軸に垂直な面内のＸ方向に駆動される。
【００３３】
Ｙ方向駆動信号生成部２１ｂは、内視鏡制御に係る電気信号として、第２の電気信号であるＹ方向駆動信号を生成する。このＹ方向駆動信号を上述したＹ方向アクチュエータ１２ｂに印加することで、光ファイバ１１が、光ファイバ１１の軸に垂直な面内のＹ方向（Ｘ方向に直交する方向）に駆動される。
【００３４】
こうして、Ｘ方向駆動信号およびＹ方向駆動信号の位相や振幅を制御することにより、光ファイバ１１から照射される光による走査が行われる。
【００３５】
レセプタクル２２は、上述した内視鏡プラグ１３が接続されるものであり、露出機構２３を含むと共に、さらに例えば変形機構２４を含んでいる。
【００３６】
露出機構２３は、内視鏡プラグ１３のレセプタクル２２と接続する領域の被覆１４を変形させて電極１５を露出し、電極１５を電気的に接続可能な状態にする。例えば、この露出機構２３は、上述した接続する領域の被覆１４を剥離することで電極１５を露出するようになっており、露出機構２３による被覆１４の変形は例えば不可逆的な変形である。露出機構２３の、その他の形態として、押圧することで被覆１４を変形させ電極１５を露出させる構成でも良い。
【００３７】
露出機構２３は、この図１に示す構成例においては、印加部と、グランド接続部２３ｃと、発熱体２５と、を備えている。
【００３８】
印加部は、露出機構２３により露出された電極１５と電気的に接続され、制御信号生成部２１により生成された電気信号を電極１５に印加する。
【００３９】
具体的に、印加部は、Ｘ方向駆動信号生成部２１ａにより生成されたＸ方向駆動信号を第１導電部１５ａに印加するための第１印加部２３ａと、Ｙ方向駆動信号生成部２１ｂにより生成されたＹ方向駆動信号を第２導電部１５ｂに印加するための第２印加部２３ｂと、を含んでいる。
【００４０】
グランド接続部２３ｃは、第３導電部１５ｃと電気的に接続されることで、Ｘ方向アクチュエータ１２ａおよびＹ方向アクチュエータ１２ｂを接地するものである。
【００４１】
なお、図１には、露出機構２３が、印加部等（印加部（第１印加部２３ａ、第２印加部２３ｂ）、およびグランド接続部２３ｃ）としての機能を備えている（従って、露出機構２３が印加部等を兼ねている）例を図示したが、例えば図１８を参照して後述するように、露出機構２３を、印加部等（第１印加部２３ａ、第２印加部２３ｂ、およびグランド接続部２３ｃ）とは別体に設けても構わない。
【００４２】
発熱体２５は、内視鏡プラグ１３の被覆１４を溶融することにより電極１５を露出するためのものである。この発熱体２５は、オプションであり、設けなくても構わない。
【００４３】
ここに、発熱体２５は、印加部（第１印加部２３ａと第２印加部２３ｂとの少なくとも一方）を兼ねていても良いし、グランド接続部２３ｃを兼ねていても構わない。あるいは、発熱体２５が、後述する歯状部４１（図８、図９、図２１、図２２等参照）、もしくは後述する図１０〜図２０等に示すような露出機構２３の形状部を兼ねていても良い。同様に、発熱体２５が、歯状部４１もしくは露出機構２３の形状部と、印加部（あるいはグランド接続部２３ｃ）と、の両方を兼ねていても構わない。
【００４４】
変形機構２４は、電極１５における露出機構２３により被覆１４を除去された領域を変形させて、印加部と電気的に接続される電極１５の面積を増加させるものである。一例として、変形機構２４は、後述する図２１および図２２に示すように、歯状部４１を備える露出機構２３の一対の基台４０（上ジョーおよび下ジョーとして機能する）が、例えばヒンジ等を介して開状態と閉状態とを互いに移行するように構成されている。そして、開状態から閉状態へ移行するに従って、変形機構２４が露出機構２３に内視鏡プラグ１３を挟み込ませて被覆１４を露出させる構成となっている。この変形機構２４もオプションであり、設けなくても構わないし、露出機構２３に加えて設けても良い。
【００４５】
なお、図１に示すレセプタクル２２の構成例では、変形機構２４は露出機構２３とは別に構成されているが、これに限るものではなく、変形機構２４が露出機構２３を兼ねていても構わない。同様に、図１に示した構成例では、変形機構２４は印加部等（第１印加部２３ａ、第２印加部２３ｂ、およびグランド接続部２３ｃ）とは別に構成されていたが、変形機構２４が印加部等を兼ねていても良い。また、変形機構２４が発熱体２５を兼ねていても構わない。
【００４６】
次に、図２は、走査型内視鏡１０の構成を示す図である。
【００４７】
走査型内視鏡１０は、挿入部の先端部において、フェルール１６を介して光ファイバ１１に駆動部１２が取り付けられている。
【００４８】
フェルール１６は、例えばニッケル等の導電性のある素材により、内側が円筒面、外側が例えば四角柱面をなす筒状に形成されていて、内側の円筒面に光ファイバ１１が固定されている。
【００４９】
このフェルール１６の、Ｘ方向に対向する１対の外側面に１対のＸ方向アクチュエータ１２ａが、Ｙ方向に対向する１対の外側面に１対のＹ方向アクチュエータ１２ｂが、それぞれ取り付けられている。
【００５０】
ここで図３は、走査型内視鏡１０における駆動部１２の構成を示す図である。
【００５１】
図３に示すように、１対のＸ方向アクチュエータ１２ａ（同様に、１対のＹ方向アクチュエータ１２ｂ）は、電気部品として圧電素子３１をそれぞれ備えている。これら１対の圧電素子３１は、それぞれ分極されており、フェルール１６に接する側の極性が互いに逆になるように、すなわち、極性が鏡面対称となるように配置されている。
【００５２】
また、圧電素子３１のフェルール１６に接する側と反対側の面には、電極３２が貼り付けられている。１対のＸ方向アクチュエータ１２ａの電極３２には第１の信号線１８ａが、１対のＹ方向アクチュエータ１２ｂの電極３２には第２の信号線１８ｂが、例えば半田３３等を介してそれぞれ接続されている。
【００５３】
こうして、１対のＸ方向アクチュエータ１２ａ（同様に、１対のＹ方向アクチュエータ１２ｂ）を鏡面対称に配置することで、第１の信号線１８ａ（Ｙ方向アクチュエータ１２ｂの場合には第２の信号線１８ｂ）から同一の信号を印加しても、１対の圧電素子３１に同一方向の変位を生じるようにしている。
【００５４】
フェルール１６は、図２に示すように、基端側で保持部１７を介して走査型内視鏡１０に保持されている。この保持部１７は、導電性のある素材により構成されており、グランド線１８ｃが接続されている。
【００５５】
先端側で２つに分岐して１対のＸ方向アクチュエータ１２ａに接続されている第１の信号線１８ａは、基端側において第１導電部１５ａに接続されている。同様に、先端側で２つに分岐して１対のＹ方向アクチュエータ１２ｂに接続されている第２の信号線１８ｂは、基端側において第２導電部１５ｂに接続されている。さらに、先端側で保持部１７に接続されているグランド線１８ｃは、基端側において第３導電部１５ｃに接続されている。
【００５６】
内視鏡プラグ１３の第１導電部１５ａ、第２導電部１５ｂ、および第３導電部１５ｃは、それぞれが被覆１４により覆われている。
【００５７】
このような構成において、第１導電部１５ａに印加されたＸ方向駆動信号は、第１の信号線１８ａを介して１対のＸ方向アクチュエータ１２ａに印加され、さらにフェルール１６およびグランド線１８ｃを介して第３導電部１５ｃに戻るようになっている。
【００５８】
同様に、第２導電部１５ｂに印加されたＹ方向駆動信号は、第２の信号線１８ｂを介して１対のＹ方向アクチュエータ１２ｂに印加され、さらにフェルール１６およびグランド線１８ｃを介して第３導電部１５ｃに戻るようになっている。
【００５９】
すなわち、第３導電部１５ｃは、Ｘ方向アクチュエータ１２ａとＹ方向アクチュエータ１２ｂとの両方に接続されているために、高電圧の静電気等が第３導電部１５ｃに印加されると、Ｘ方向アクチュエータ１２ａとＹ方向アクチュエータ１２ｂとの両方に影響が及ぶことになる。このために、被覆１４を第３の導電部１５ｃの周囲に少なくとも設けると良い。この上でさらに、第１の導電部１５ａはＸ方向アクチュエータ１２ａに接続され、第２の導電部１５ｂはＹ方向アクチュエータ１２ｂに接続されているために、被覆１４を、第１の導電部１５ａの周囲と、第２の導電部１５ｂの周囲と、にもそれぞれ設けるとなお良い。
【００６０】
次に、図４は、内視鏡プラグ１３の第１の構成例を示す断面図である。なお、図４〜図６に示すのは、内視鏡プラグ１３が内視鏡用外部機器２０のレセプタクル２２に接続される前の状態である。
【００６１】
まず、電極１５は、例えば金属素線（１本の素線であっても、複数本の素線を例えばより線としたものであっても、何れでも構わない）などとして構成されており、軸形状をなしている。そして、この図４に示す例では、被覆１４は、電極１５の軸周りの外側面を少なくとも覆っており、電極１５（第１導電部１５ａ，第２導電部１５ｂ，第３導電部１５ｃ）の基端面と被覆１４の基端面とは面一となっている。これにより、レセプタクル２２に接続されるまでは、例えば凹状の曲面の構造物などが、電極１５に容易に接触しないようになっている。
【００６２】
また、図５は、内視鏡プラグ１３の第２の構成例を示す断面図である。
【００６３】
この図５に示す例では、被覆１４の基端面は電極１５の基端面よりも基端側に位置しており、つまり、電極１５の基端面は被覆１４の内部空間の奥に位置している。これにより、レセプタクル２２に接続されるまでは、電極１５の径Ｄ（図７参照）よりも大きい構造物が、電極１５に容易に接触しないようになっている。
【００６４】
さらに、図６は、内視鏡プラグ１３の第３の構成例を示す断面図である。
【００６５】
この図６に示す例では、被覆１４は、電極１５の軸周りの外側面を覆うだけでなく、さらに、電極１５の基端面も絶縁に覆っており、つまり、内視鏡プラグ１３の電極１５は完全に絶縁に覆われている。これにより、内視鏡プラグ１３がレセプタクル２２に接続されるまでは、任意の構造物が電極１５に接触しないようになっている。
【００６６】
なお、図６に示す例では電極１５の軸周りの外側面と基端面とが被覆１４により一体に覆われているが、外側面を覆う被覆１４とは別体のキャップやフィルムなどの部材を被覆として用いて電極１５の基端面を覆うようにしても構わない。
【００６７】
図７は、内視鏡プラグ１３とレセプタクル２２とを接続する際の関係を示す断面図である。なお、この図７には、一例として、内視鏡プラグ１３の第１の構成例（図４に示した構成例）を図示している。
【００６８】
レセプタクル２２は、絶縁体により例えば有底円筒状をなすように形成された筐体２２ａを備えており、この筐体２２ａの内部に露出機構２３が配設されている。なお、筐体２２ａの基端側の内面が、有底円筒状の筐体２２ａの内部の底面となる。こうして、筐体２２ａが絶縁体により形成され、かつ露出機構２３が筐体２２ａの内部に配設されているために、筐体２２ａの内部において被覆１４が剥離される瞬間、および被覆１４が剥離された後でも、電極１５を外界と絶縁に隔離することができ、電極１５から例えば人体に由来する静電気等が入り込むのを防止することができる。
【００６９】
そして、内視鏡プラグ１３は、一点鎖線に示す軸方向に進行させて、レセプタクル２２の筐体２２ａ内に挿入し、接続するようになっている。
【００７０】
このとき、内視鏡プラグ１３をレセプタクル２２に押圧挿入するだけで被覆１４が剥離されるようにするためには、露出機構２３として鋭利な刃状の例えば歯状部などを用いると共に、歯状部の間隔Ｄｉが、電極１５（第１導電部１５ａ，第２導電部１５ｂ，第３導電部１５ｃ）の径Ｄよりも小さい（Ｄｉ＜Ｄ）構成を採用することになる。
【００７１】
次に、図８〜図１７を参照して、露出機構２３の各種の構成例を説明する。
【００７２】
まず、図８は、レセプタクル２２を正面方向から見たときの第１の構成例を示す図である。
【００７３】
この第１の構成例は、レセプタクル２２の筐体２２ａの内周面から対向するように例えば１対の基台４０を設け、この基台４０の先端に複数の歯状部４１を設けたものとなっている。この歯状部４１は、図７の一点鎖線の方向に沿ったある長さをもっているために、歯状部４１の歯同士の間が軸方向の溝構造を形成している。後述する図２２等に示すように、この溝構造に電極１５を構成する各素線がはまり込むことで、歯状部４１が印加部等を兼ねる場合の電極１５との接触面積が大きくなり、ひいては、電気抵抗値が下がるようになっている（すなわち、電気的な接続が確実となる）。なお、この図８に示す第１の構成例においては、１対の基台４０の対向する歯状部４１の間隔が上述したＤｉである。
【００７４】
図９は、レセプタクル２２を正面方向から見たときの第２の構成例を示す図である。
【００７５】
この第２の構成例は、第１の構成例と同様に１対の基台４０を備えるが、この基台４０の先端の例えば両側に一対の歯状部４１を設けたものとなっている。これは、内視鏡プラグ１３の径方向の中央部に電極１５があり、電極１５の周囲に被覆１４が設けられているために、周囲の被覆１４のみを効率的に剥離するための構成である。
【００７６】
図１０は、レセプタクル２２を正面方向から見たときの第３の構成例を示す図である。
【００７７】
この第３の構成例は、レセプタクル２２の筐体２２ａの内周面から径方向に、例えば１つの刃状部を露出機構２３として設けたものとなっている。なお、刃状部は、径方向の先端が刃先となっており、この刃先が図７の一点鎖線に示す軸方向に延びる構成となっている。この構成においては、露出機構２３の刃状部の先端から、筐体２２ａの反対側の内周面までの間隔が上述したＤｉである。
【００７８】
図１１は、レセプタクル２２を正面方向から見たときの第４の構成例を示す図である。
【００７９】
この第４の構成例は、図１０と同様の刃状部を、筐体２２ａの内周面の対向する位置に２つ設けたものとなっている。この構成においては、露出機構２３の一対の刃状部の間隔が上述したＤｉである。
【００８０】
図１２は、レセプタクル２２を正面方向から見たときの第５の構成例を示す図である。
【００８１】
この第５の構成例は、図１０と同様の刃状部を、筐体２２ａの内周面の９０°毎の位置に４つ設けたものとなっている。
【００８２】
図１３は、レセプタクル２２を正面方向から見たときの第６の構成例を示す図である。
【００８３】
この第６の構成例は、露出機構２３として、レセプタクル２２の筐体２２ａの内周を弦状に結ぶ線が、筐体２２ａの開口側へ向いた刃先となるような刃状部を設けたものとなっている。この構成においては、筐体２２ａの内周の中心軸Ｏと刃状部の刃先との最小距離がＤｉ／２となる。
【００８４】
なお、図８〜図１３に示した各露出機構２３は、図７に示したように、筐体２２ａの内部における開口側に近い一部に設けられていても良いが、図１４に示すように、筐体２２ａの内部における開口側に近い部分から底面（もしくは底面の近く）まで到達するように軸方向に長く設けても構わない。ここに、図１４は、レセプタクル２２を側面方向から見たときのある構成例を示す断面図である。
【００８５】
あるいは、図１０〜図１２に示した露出機構２３については、例えば、図１５に示すように構成しても良い。ここに、図１５は、レセプタクル２２を側面方向から見たときの他の構成例を示す断面図である。
【００８６】
図１５に示す露出機構２３は、刃状部の刃先が、筐体２２ａの奥へ行くに従って中心軸Ｏ（図１３参照）に近付くような傾斜をなしている。これにより、まず刃状部の先端側で被覆１４の表面を捉え、内視鏡プラグ１３をレセプタクル２２の奥へ挿入するに従って、傾斜をなす刃状部で案内されながら、被覆１４が次第に深く切り裂かれるように構成されている。このような構成においては、最も中心軸Ｏ側に突出した刃先同士の間隔（あるいは図１０に示すような１つの刃状部のみが設けられている構成においては最も中心軸Ｏ側に突出した刃先から、筐体２２ａの反対側の内周面までの間隔）が上述したＤｉとなる。
【００８７】
続いて、図１６はレセプタクル２２を正面方向から見たときの第７の構成例を示す図、図１７は第７の構成例のレセプタクル２２を側面方向から見たときの構成を示す断面図である。
【００８８】
この第７の構成例は、露出機構２３として、レセプタクル２２の筐体２２ａの底面の例えば中央から、鋭角の錐状部（図示の例は円錐状部であるが、例えば多角錐状部などであっても構わない）を立てて設けたものとなっている。なお、ここでは１つの錐状部を設けているが、複数の錐状部を筐体２２ａの底面から立てて設けても構わない。
【００８９】
なお、上述した図７〜図１７においては、露出機構２３が電気信号を電極１５に印加する印加部（第１印加部２３ａ、第２印加部２３ｂ）を兼ねていることを想定していた。しかし、これに限定されるものではなく、上述したように、露出機構２３を、印加部等（第１印加部２３ａ、第２印加部２３ｂ、およびグランド接続部２３ｃ）とは別体として構成するようにしても良い。
【００９０】
ここに、図１８は、レセプタクル２２に、露出機構とは別体に印加部が設けられている構成例を示す断面図である。
【００９１】
この図１８に示す構成例においては、筐体２２ａの開口側に近い一部に露出機構２３が設けられると共に、筐体２２ａの底面側に近い部分に印加部等（第１印加部２３ａ、第２印加部２３ｂ、およびグランド接続部２３ｃ）が設けられている。
【００９２】
このような構成においては、レセプタクル２２に内視鏡プラグ１３を挿入する際に、開口側の露出機構２３で被覆１４を剥離された電極１５が、内視鏡プラグ１３をさらに奥へ挿入することで、第１印加部２３ａ、第２印加部２３ｂ、あるいはグランド接続部２３ｃに電気的に接続される。
【００９３】
続いて、図１９は、内視鏡プラグ１３をレセプタクル２２に押圧挿入することで被覆１４が剥離された様子を示す断面図である。この図１９には、図１４に示したような形状のレセプタクル２２の例を示している。
【００９４】
上述したようなＤｉ＜Ｄの構成の露出機構２３を備えるレセプタクル２２に対して、内視鏡プラグ１３を図７に示すような状態から押圧挿入すると、この図１９に示すように、露出機構２３によって、露出機構２３と接触した被覆１４が剥離される。なお、この図１９、および後述する図２０、図２２においては、剥離された被覆１４の破片の図示を省略している。
【００９５】
また、図２０〜図２２は、レセプタクル２２が変形機構２４を備える例を示している。ここに、図２０はレセプタクル２２の変形機構２４を閉状態にしたときに、内視鏡プラグ１３の電極１５が変形される様子を示す断面図、図２１は内視鏡プラグ１３をレセプタクル２２に挿入したときの様子を示す一部断面を含む正面図、図２２はレセプタクル２２の変形機構２４を閉状態にしたときに、内視鏡プラグ１３の電極１５が変形されて通電面積が増加している様子を示す一部断面を含む正面図である。
【００９６】
変形機構２４を備える場合には、変形機構２４を作動させることで被覆１４を剥離させることができるために、内視鏡プラグ１３をレセプタクル２２に挿入しただけでは被覆１４が剥離されない状態であっても構わない。このときには、内視鏡プラグ１３をレセプタクル２２に挿入しても、例えば図２１に示すようになる。
【００９７】
図１９または図２１に示すような状態から、変形機構２４を動作させて、露出機構２３を開状態から閉状態へ向けて移行させると、図２０および図２２に示すように、電極１５（第１導電部１５ａ，第２導電部１５ｂ，第３導電部１５ｃ）を構成する素線（図２１および図２２には、３本の素線で構成されている例を示しているが、勿論、１本以上の任意の本数で構わない）が歯状部４１の間に挟み込まれる。このとき、歯状部４１の間が上述した軸方向の溝構造をなしている場合には、素線と歯状部４１との接触面積をさらに大きくすることができる。
【００９８】
露出機構２３がさらに閉状態へ向けて移行すると、図２１において円形の断面形状であった素線が、図２２においては菱形もしくは矩形に近づいた断面形状に変形する。こうして、電極１５と歯状部４１との接触面積が増加し、露出機構２３の歯状部４１が印加部等（第１印加部２３ａ、第２印加部２３ｂ、およびグランド接続部２３ｃ）を兼ねている場合には、電気抵抗値が下がって、より確実に電気伝導を行うことが可能となる。
【００９９】
上述したように、内視鏡プラグ１３をレセプタクル２２に押圧挿入するだけで被覆１４が剥離される第１の構造（Ｄｉ＜Ｄである構造）と、内視鏡プラグ１３をレセプタクル２２に挿入するだけでは被覆１４はそのままであり変形機構２４を用いることで被覆１４が剥離されると共に電極が変形する第２の構造（つまり、開状態でＤｉ≧Ｄであり、閉状態でＤｉ＜Ｄとなる構造）と、内視鏡プラグ１３をレセプタクル２２に押圧挿入することで被覆１４が少なくとも一部剥離され、その後に変形機構２４を用いることで被覆１４がさらに剥離されると共に電極が変形する第３の構造（つまり、開状態でＤｉ＜Ｄであり、閉状態でＤｉがさらに小さくなる構造）と、がある。
【０１００】
これら第１〜第３の構造の作用について、図２３〜図２５を参照して説明する。
【０１０１】
まず、図２３は、内視鏡プラグ１３をレセプタクル２２に押圧挿入することで被覆１４が剥離される作用の例を示すフローチャートである。この図２３は、第１の構造の作用を示している。
【０１０２】
この処理を開始すると、レセプタクル２２に内視鏡プラグ１３を押圧挿入する（ステップＳ１）。
【０１０３】
すると、レセプタクル２２の露出機構２３の例えば歯状部４１が、例えば図１９に示したように、被覆１４を剥離する（ステップＳ２）。
【０１０４】
これにより、被覆１４を剥離された電極１５（第１導電部１５ａ、第２導電部１５ｂ、および第３導電部１５ｃ）が、レセプタクル２２の印加部等（第１印加部２３ａ、第２印加部２３ｂ、およびグランド接続部２３ｃ）と通電する（ステップＳ３）。
【０１０５】
こうして、例えば内視鏡プラグ１３がレセプタクル２２の筐体２２ａの底面に突き当たる位置まで挿入されたところで（ただし、底面に突き当たらなくても、通電した時点で挿入を停止しても構わない）、この処理を終了する。
【０１０６】
次に、図２４は、レセプタクル２２の変形機構２４により被覆１４が剥離され電極が変形されて通電面積が増加する作用の例を示すフローチャートである。この図２４は、第２の構造の作用を示している。
【０１０７】
この処理を開始すると、開状態のレセプタクル２２に内視鏡プラグ１３を挿入する（ステップＳ１’）。この挿入を、例えば内視鏡プラグ１３がレセプタクル２２の筐体２２ａの底面に突き当たる位置まで行うと（ただし、底面に突き当たらなくても構わない）、例えば図２１に示したような状態になる。
【０１０８】
続いて、変形機構２４を作動させて、レセプタクル２２を開状態から閉状態へ移行開始する（ステップＳ１１）。
【０１０９】
すると、レセプタクル２２の露出機構２３の例えば歯状部４１が、被覆１４を剥離する（ステップＳ２）。
【０１１０】
そして、歯状部４１の各歯間に、被覆１４を剥離された電極１５の各素線が例えば配置され（ステップＳ１２）、電極１５が、レセプタクル２２の印加部等と通電する（ステップＳ３）。
【０１１１】
さらに、変形機構２４を作動させて、レセプタクル２２を閉状態へ移行させると、電極１５の各素線が例えば図２２に示したように変形されて、電極１５と印加部等との通電面積が増加する（ステップＳ１３）。
【０１１２】
こうして、レセプタクル２２が開状態から閉状態へ移行終了したところで（ステップＳ１４）、この処理を終了する。
【０１１３】
図２５は、内視鏡プラグ１３の押圧挿入およびレセプタクル２２の変形機構２４により被覆１４が剥離され電極が変形されて通電面積が増加する作用の例を示すフローチャートである。この図２５は、第３の構造の作用を示している。
【０１１４】
この処理を開始すると、開状態のレセプタクル２２に内視鏡プラグ１３を押圧挿入する（ステップＳ１”）。
【０１１５】
すると、レセプタクル２２の露出機構２３の例えば歯状部４１が、被覆１４を剥離する（ステップＳ２）。この挿入を、例えば内視鏡プラグ１３がレセプタクル２２の筐体２２ａの底面に突き当たる位置まで行う（ただし、底面に突き当たらなくても構わない）。
【０１１６】
続いて、変形機構２４を作動させて、レセプタクル２２を開状態から閉状態へ移行開始する（ステップＳ１１）。
【０１１７】
すると、レセプタクル２２の露出機構２３の例えば歯状部４１が、被覆１４をさらに剥離する（ステップＳ２’）。
【０１１８】
そして、歯状部４１の各歯間に、被覆１４を剥離された電極１５の各素線が例えば配置され（ステップＳ１２）、電極１５が、レセプタクル２２の印加部等と通電する（ステップＳ３）。
【０１１９】
さらに、変形機構２４を作動させて、レセプタクル２２を閉状態へ移行させると、電極１５の各素線が例えば図２２に示したように変形されて、電極１５と印加部等との通電面積が増加する（ステップＳ１３）。
【０１２０】
こうして、レセプタクル２２が開状態から閉状態へ移行終了したところで（ステップＳ１４）、この処理を終了する。
【０１２１】
なお、上述では、内視鏡として走査型内視鏡１０を例に挙げたが、内視鏡が例えば電気部品としての撮像素子を有する電子内視鏡である場合には、内視鏡用外部機器２０は、撮像素子を駆動する内視鏡駆動装置として構成されることになる。この場合に、内視鏡制御に係る電気信号は、撮像素子の駆動信号、あるいは動作制御のために送信するタイミング信号（クロック信号等）などが該当する。また、電子内視鏡から内視鏡用外部機器２０へ接続されるのは、グランド以外に、撮像により得られた撮像信号などが含まれる。
【０１２２】
このような実施形態１によれば、内視鏡プラグ１３に設けられた電極１５の周囲が、絶縁体で構成された被覆１４により覆われているために、内視鏡用外部機器２０と接続される瞬間まで電極１５を外界から絶縁に隔離して、電極１５から静電気等が進入するのを防止することができる。
【０１２３】
そして、被覆１４は、内視鏡用外部機器２０と接続される領域において変形して電極１５を露出し、電極１５と内視鏡用外部機器２０とを電気的に接続可能な状態にするために、内視鏡用外部機器２０と接続される領域以外では電極１５を露出せず、走査型内視鏡１０を使用する際にも電極１５から静電気等が進入するのを防止することができる。
【０１２４】
こうして、内視鏡用外部機器２０と電気的に接続される圧電素子３１等の電気部品が、定格電圧を超える電圧の静電気等により故障するのを防止することができる。
【０１２５】
また、被覆１４が、内視鏡用外部機器２０と接続される前には、軸形状をなす電極１５の軸周りの外側面を少なくとも覆っている（図４〜図６参照）ために、例えば凹状の曲面の構造物などが電極１５に接触するのを効果的に阻止することができる。
【０１２６】
さらに、被覆１４の基端面が、内視鏡用外部機器２０と接続される前に、電極１５の基端面よりも基端側に位置している場合（図５、図６参照）には、電極１５の径Ｄよりも大きい構造物が、電極１５に容易に接触しないようにすることができる。
【０１２７】
加えて、被覆１４が、内視鏡用外部機器２０と接続される前には、電極１５の基端面も絶縁に覆っている場合（図６参照）には、内視鏡プラグ１３がレセプタクル２２に接続されるまでは、任意の構造物が電極１５に接触しないようにすることができる。
【０１２８】
電極１５から入力された電気信号によって駆動される駆動部１２をさらに有する場合には、静電気等による駆動部１２の損傷を防止することができる。
【０１２９】
特に、走査型内視鏡１０の場合には、電気信号が印加されることで照明光の射出方向を変化させる走査を行うためのアクチュエータ（Ｘ方向アクチュエータ１２ａおよびＹ方向アクチュエータ１２ｂ）を駆動部１２が含むために、静電気等によるアクチュエータの損傷を防止することができる。
【０１３０】
そして、電極１５が、第１の電気信号が入力される第１の導電部１５ａと、第２の電気信号が入力される第２の導電部１５ｂと、第１および第２のアクチュエータを接地するための第３の導電部１５ｃと、を含む場合において、被覆１４を第３の導電部１５ｃの周囲に少なくとも設けたために、第３の導電部１５ｃから静電気等が進入して第１および第２のアクチュエータが同時に損傷を受けるのを防止することができる。
【０１３１】
さらに、第１の導電部１５ａの周囲と、第２の導電部１５ｂの周囲と、にもそれぞれ被覆１４を設けることにより、第１のアクチュエータと第２のアクチュエータとが静電気等により個別に損傷するのを防止することができる。
【０１３２】
また、内視鏡プラグ１３が接続される内視鏡用外部機器２０のレセプタクル２２が、露出機構２３と印加部とを備えて、露出機構２３によりレセプタクル２２と接続する領域の被覆１４を変形させて電極１５を露出し、印加部から電極１５に電気信号を印加するようにしたために、レセプタクル２２と接続しない領域の被覆１４が変形されて電極１５が露出することはなく、走査型内視鏡１０を使用する際に電極１５から静電気等が進入するのを防止することができる。
【０１３３】
そして、露出機構２３が印加部等を兼ねるようにした場合には、印加部を別途設ける必要がなく構成が簡単になる。そして、被覆１４を剥離した露出機構２３により、電気信号をそのまま電極１５へ印加することが可能となる。
【０１３４】
一方、露出機構２３を印加部とは別体に設けた場合には、露出機構２３により被覆１４を剥離された後の電極１５に、印加部を安定して接続することができる。
【０１３５】
さらに、変形機構２４を備える場合には、被覆１４をより確実に除去することができる。加えて、印加部と電気的に接続される電極１５の面積が増加されるために、内視鏡プラグ１３とレセプタクル２２とのより確実な電気伝導を行うことができる。そして、接続面積の増加により、内視鏡プラグ１３とレセプタクル２２との接触部分の電気抵抗値を下げることができ、電力の無駄な消費を抑制することができる。
【０１３６】
また、変形機構２４が印加部等を兼ねる場合には、変形機構２４を用いて変形された電極１５に対して、そのまま電気的に接続することができる。
【０１３７】
そして、変形機構２４が露出機構２３を兼ねる場合には、変形機構２４による被覆１４の剥離を確実に行うことができる。
【０１３８】
被覆１４を剥離することで電極１５を露出させる実施形態以外に、被覆を変形させて電極１５を露出させるものであればどのような形態でも良い。
例えば、露出機構２３が発熱体２５を備える場合には、被覆１４を溶融することで、電極１５をより確実に露出することができる。
【０１３９】
このとき、発熱体２５が印加部等を兼ねる場合には、発熱体２５により露出された電極１５に対して、そのまま電気信号を印加することができる。
【０１４０】
そして、露出機構２３が被覆１４を不可逆的に変形するために、例えば走査型内視鏡１０をディスポーザブルなタイプとして構成した場合には、内視鏡プラグ１３を見るだけで、走査型内視鏡１０が未使用であるか使用済みであるかを明確に判別することができる。こうして、使用済みの走査型内視鏡１０の、不用意な再利用を防止することができる。
【０１４１】
なお、上述した各部は、回路として構成されていても良い。そして、任意の回路は、同一の機能を果たすことができれば、単一の回路として実装されていても良いし、複数の回路を組み合わせたものとして実装されていても構わない。さらに、任意の回路は、目的とする機能を果たすための専用回路として構成されるに限るものではなく、汎用回路に処理プログラムを実行させることで目的とする機能を果たす構成であっても構わない。
【０１４２】
また、上述では主として内視鏡、内視鏡用外部機器、および内視鏡と内視鏡用外部機器とを備える内視鏡システムについて説明したが、内視鏡システムにおいて内視鏡と内視鏡用外部機器とを上述したように接続する接続方法等であっても構わない。
【０１４３】
さらに、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明の態様を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【符号の説明】
【０１４４】
１０…走査型内視鏡
１１…光ファイバ
１２…駆動部
１２ａ…Ｘ方向アクチュエータ
１２ｂ…Ｙ方向アクチュエータ
１３…内視鏡プラグ
１４…被覆
１５…電極
１５ａ…第１導電部
１５ｂ…第２導電部
１５ｃ…第３導電部
１６…フェルール
１７…保持部
１８ａ…第１の信号線
１８ｂ…第２の信号線
１８ｃ…グランド線
２０…内視鏡用外部機器
２１…制御信号生成部
２１ａ…Ｘ方向駆動信号生成部
２１ｂ…Ｙ方向駆動信号生成部
２２…レセプタクル
２２ａ…筐体
２３…露出機構
２３ａ…第１印加部
２３ｂ…第２印加部
２３ｃ…グランド接続部
２４…変形機構
２５…発熱体
３１…圧電素子
３２…電極
３３…半田
４０…基台
４１…歯状部
【図１】
2017185081.tif 000003
【図２】
2017185081.tif 000004
【図３】
2017185081.tif 000005
【図４】
2017185081.tif 000006
【図５】
2017185081.tif 000007
【図６】
2017185081.tif 000008
【図７】
2017185081.tif 000009
【図８】
2017185081.tif 000010
【図９】
2017185081.tif 000011
【図１０】
2017185081.tif 000012
【図１１】
2017185081.tif 000013
【図１２】
2017185081.tif 000014
【図１３】
2017185081.tif 000015
【図１４】
2017185081.tif 000016
【図１５】
2017185081.tif 000017
【図１６】
2017185081.tif 000018
【図１７】
2017185081.tif 000019
【図１８】
2017185081.tif 000020
【図１９】
2017185081.tif 000021
【図２０】
2017185081.tif 000022
【図２１】
2017185081.tif 000023
【図２２】
2017185081.tif 000024
【図２３】
2017185081.tif 000025
【図２４】
2017185081.tif 000026
【図２５】
2017185081.tif 000027